(57)【要約】【課題】簡単な構成でマルチフィルムを効率よく剥がすことができるようにする。【解決手段】本発明のマルチフィルム剥ぎ取り機１は、機体２と、機体２の前側を走行自在に支持する一つの前輪３と、機体２の前方においてマルチフィルムＳに付着した夾雑物を解すための前処理部４と、該前処理部４の後方において、畝表面のマルチフィルムＳを機体２の進行に伴って畝上方へ連続的に剥ぎ上げる剥ぎ上げ部５と、該剥ぎ上げ部５の後方において、該剥ぎ上げられたマルチフィルムＳを機体２の進行に伴って連続的に地面に踏みつける後輪６と、該後輪６を回転駆動するための駆動部７と、機体２の進行方向を操縦するハンドル８とを備えている。【選択図】      図１
2005046012.tif 000002
【特許請求の範囲】
【請求項１】
畝に沿って走行する機体の進行に伴って、畝表面に張られたマルチフィルムを連続的に剥ぎ取るように構成されたマルチフィルム剥ぎ取り機であって、
畝表面のマルチフィルムを前記機体の進行に伴って畝上方へ連続的に剥ぎ上げる剥ぎ上げ部と、
該剥ぎ上げ部の後方において、該剥ぎ上げられたマルチフィルムを前記機体の進行に伴って連続的に地面に踏みつける車輪とを備えたマルチフィルム剥ぎ取り機。
【請求項２】
前記車輪は、前記機体を走行可能に支持する後輪である請求項１記載のマルチフィルム剥ぎ取り機。
【請求項３】
前記剥ぎ上げ部は、左右へ延びる軸を中心に回転自在に支持されたローラを有し、該ローラの上側に前記マルチフィルムを掛けて前記車輪へ送るように構成された請求項１又は２記載のマルチフィルム剥ぎ取り機。
【請求項４】
前記剥ぎ上げ部及び／又は前記車輪の略前方へマルチフィルムを案内するガイド部材を備えた請求項１〜３のいずれか一項に記載のマルチフィルム剥ぎ取り機。
【請求項５】
前記車輪には、その周面の両側縁部から反回転方向側の周面略中央に向いて斜めに延びる凸条が形成された請求項１〜４のいずれか一項に記載のマルチフィルム剥ぎ取り機。
【請求項６】
前記剥ぎ上げ部の前方に、マルチフィルムに付着した夾雑物を解すための前処理部を備えた請求項１〜５のいずれか一項に記載のマルチフィルム剥ぎ取り機。
【発明の詳細な説明】
【０００１】
【発明の属する技術分野】
本発明は、マルチフィルムの回収に際して、事前にマルチフィルムを畝から剥ぎ取るための剥ぎ取り機に関するものである。
【０００２】
【従来の技術】
マルチフィルムの回収に際して、マルチフィルムを畝から剥がしてすぐ巻き取ると、マルチフィルムに水分や土が付いているため効率よく巻き取れないという問題がある。また、マルチフィルムに水分や土が付たままになっていると、処分費用が増大するという問題もある。このため、一旦畝からマルチフィルムを剥がし乾燥させた後、回収を行っている。
【０００３】
マルチフィルムを剥がすための従来のマルチフィルム剥ぎ取り機としては、特許文献１に記載された農業用被覆シートのはぎ取り装置５１を例示する。この装置５１は、図６に示すように、トラクタ６１の後部に連結支持され、はぎ取るマルチフィルム（マルチシート）Ｓに沿って平行に移動される。敷設されたマルチフィルムＳは、その長手方向に対して横方向に引き上げられ、ハウジング５６の下面から排出され、隣接する畝上に放下される。
【０００４】
【特許文献１】
実用新案登録第３０３１２４８号公報
【０００５】
【発明が解決しようとする課題】
ところが、従来のはぎ取り装置５１は、トラクタ６１に接続してはぎ取り作業を行うようになっているため、次の問題がある。
【０００６】
（１）マルチフィルムＳを横方向に引き上げるようになっているため、はぎ取り時の抵抗が大きいので、トラクタ６１の走行スピードが速すぎるとマルチフィルムＳが破れる。このため、トラクタ６１の走行スピードを遅くしなければならず、作業効率が悪くなる。
【０００７】
（２）トラクタ６１の走行スピードと剥ぎ取り装置５１の剥ぎ取りスピードが一致しないと、マルチフィルムＳが破れたり、又は効率よく作業が行えない。
【０００８】
（３）機体を走行させるための機構であるトラクタ６１と、マルチフィルムＳを剥がすための機構である剥ぎ取り装置５１とを別々に備えているため、サイズが大きくなるとともに、構造が複雑になりコストが掛かる。サイズが大きいと、特に、畝間が狭かったり、さらに畝に農作物の残幹があったりするとき等に、はぎ取り作業ができないことがあり、また、旋回作業にも手間が掛かる。
【０００９】
本発明の目的は、上記課題を解決し、簡単な構成でマルチフィルムを効率よく剥がすことができるマルチフィルム剥ぎ取り機を提供することにある。
【００１０】
【課題を解決するための手段】
上記目的を達成するために、本発明のマルチフィルム剥ぎ取り機は、畝に沿って走行する機体の進行に伴って、畝表面に張られたマルチフィルムを連続的に剥ぎ取るように構成されたマルチフィルム剥ぎ取り機であって、畝表面のマルチフィルムを前記機体の進行に伴って畝上方へ連続的に剥ぎ上げる剥ぎ上げ部と、該剥ぎ上げ部の後方において、該剥ぎ上げられたマルチフィルムを前記機体の進行に伴って連続的に地面に踏みつける車輪とを備えている。
【００１１】
この構成によれば、剥ぎ上げ部により、マルチフィルムを畝上方に剥ぎ上げるようになっているので、横方向に剥ぐ場合と比べて剥ぎ上げ時の抵抗が少なく、マルチフィルムが破れにくい。このため、横方向に剥ぐ場合よりも、剥ぎ取り速度を向上させることができる。また、車輪は、機体の進行に伴って地面の上を転動し、剥ぎ上げられたマルチフィルムを地面に連続的に踏みつけ、マルチフィルムに対し、該マルチフィルムを剥ぎ上げる方向の張力を連続的に作用させることができる。このため、従来例とは異なり、走行スピードと剥ぎ取りスピードとが必然的に連動するようになっている。また、このように本発明のマルチフィルム剥ぎ取り機は簡単な構成であるため、低コストに実現することができる。なお、前記車輪は原動機で駆動してもよいが、人力で前記機体を進行させれば、それに伴って前記車輪が転動するので、必ずしも駆動しなくてもよい。
【００１２】
前記車輪は、前記機体を走行可能に支持する後輪である態様を例示する。
【００１３】
この構成によれば、機体を走行させる機構が、マルチフィルムを剥がすための機構の一部としても作用するように構成されているので、構造を簡単化でき、コストを低減することができる。
【００１４】
前記剥ぎ上げ部は、左右へ延びる軸を中心に回転自在に支持されたローラを有し、該ローラの上側に前記マルチフィルムを掛けて前記車輪へ送るように構成された態様を例示する。
【００１５】
この構成によれば、前記剥ぎ上げ部を簡単な構成で実現でき、低コストに実現することができる。
【００１６】
前記剥ぎ上げ部及び／又は前記車輪の略前方へマルチフィルムを案内するガイド部材を備えた態様を例示する。
【００１７】
この構成によれば、マルチフィルムを前記剥ぎ上げ部や前記車輪により確実に処理することができる。
【００１８】
前記車輪には、その周面の両側縁部から反回転方向側の周面略中央に向いて斜めに延びる凸条が形成された態様を例示する。
【００１９】
この構成によれば、前記凸条によりマルチフィルムを前記車輪の周面の幅方向略中央に寄せることができ、前記車輪でマルチフィルムを確実に踏みつけるようにすることができる。
【００２０】
前記剥ぎ上げ部の前方に、マルチフィルムに付着した夾雑物を解すための前処理部を備えた態様を例示する。
【００２１】
この構成によれば、マルチフィルムに付着した前記夾雑物を予め解すことにより、マルチフィルムを畝からスムーズに剥がすことができる。
【００２２】
【発明の実施の形態】
図１〜図５は、本発明を具体化した一実施形態のマルチフィルム剥ぎ取り機１を示している。この剥ぎ取り機１は、畝Ｕに沿って走行する機体２の進行に伴って、畝表面に張られたマルチフィルムＳを連続的に剥ぎ取るように構成されており、機体２と、機体２の前側を走行自在に支持する一つの前輪３と、機体２の前方においてマルチフィルムＳに付着した夾雑物を解すための前処理部４と、該前処理部４の後方において、畝表面のマルチフィルムＳを機体２の進行に伴って畝上方へ連続的に剥ぎ上げる剥ぎ上げ部５と、該剥ぎ上げ部５の後方において、該剥ぎ上げられたマルチフィルムＳを機体２の進行に伴って連続的に地面に踏みつける後輪６と、該後輪６を回転駆動するための駆動部７と、機体２の進行方向を操縦するハンドル８とを備えている。
【００２３】
機体２は、前後方向に延設されている。機体２の前端部には、左右一対の前輪支持アーム１１が突設されており、該両前輪支持アーム１１の間には前輪３が回転自在に支持されている。機体２の後端側には、左右へ延びる駆動軸１２が回転自在に支持されており、該駆動軸１２の両端部には後輪６が固定されている。
【００２４】
機体２における前輪３の後方部位には、左右一対の縦フレーム１５が立設されており、該両縦フレーム１５の高さ方向途中部には、前フレーム１６が前方へ突設されている。前フレーム１６の先端部には、左右へ延びる横フレーム１７が固定されており、該横フレーム１７の両端部には、前処理部４が支持されている。
【００２５】
前処理部４は、上下に延びる被支持体２１と、該被支持体２１の下端に設けられた前後に延びるベース部２２と、該ベース部２２の下側に取り付けられた断面Ｕ字状のフィルム押え部材２３と、ベース部２２の先端部に前下がり状態で取り付けられた逆三角形状の解し板２４とを備えている。被支持体２１は、横フレーム１７の両端部に上下左右の位置調節可能に支持されている。そして、この前処理部４は、フィルム押え部材２３でマルチフィルムを押えながら、解し板２４でマルチフィルムＳに付着した夾雑物を解すようになっている。
【００２６】
剥ぎ上げ部５は、各縦フレーム１５の上端に突設された左右へ延びる軸２６ａと、該軸２６ａを中心に回転自在に支持されたローラ２６とを有している。ローラ２６の周面の両縁部には、ローラ２６の半径方向に突出したリブ２６ｂが形成されており、このリブ２６ｂによりマルチフィルムＳがローラ２６の周面からはみ出さないようにしている（図２、図３参照）。この剥ぎ上げ部５は、ローラ２６の上側にマルチフィルムＳを掛けて後輪６へ送るように構成されている。剥ぎ上げ部５の略前方には、該略前方へマルチフィルムＳを案内するための環状の第一ガイド部材２７が設けられている。第一ガイド部材２７は、地面の状態や、マルチフィルムＳの地面への付着状態等に応じて、その高さや前方への傾斜角度が調節できるように、縦フレーム１５に支持されている。
【００２７】
後輪６には、その周面の両側縁部から反回転方向側の周面略中央に向いて斜めに延びる凸条３０が形成されている（図２参照）。後輪６の略前方には、該略前方へマルチフィルムＳを案内するための環状の第二ガイド部材３１が設けられている。
【００２８】
駆動部７は、原動機としてのエンジン３３と、該エンジン３３の駆動力を駆動軸１２に伝動する動力伝動機構３４とを備えている。
【００２９】
次に、マルチフィルム剥ぎ取り機１の使用方法について説明する。ここでは、畝Ｕに農作物の残幹Ｋがある場合を例示する。まず、畝長さ方向に植えられた残幹Ｋを結ぶ直線Ｃに沿ってマルチフィルムＳを切断するか又はマルチフィルムＳに切れ目を入れておく。次いで、畝一端側における畝間に、マルチフィルム剥ぎ取り機１を畝他端側へ向けて準備する。次いで、図１及び図４に示すように、畝一端側における左右両側のマルチフィルムＳを剥ぎ上げて、それぞれのマルチフィルムＳをマルチフィルム剥ぎ取り機１の左右両側における前処理部４の下側、第一ガイド部材２７の中、ローラ２６の上側、第二ガイド部材３１の中、後輪６の下側を経由させて後輪６の後方まで通しておく。次いで、駆動部７のエンジンを始動させ、後輪６の駆動を開始する。すると、後輪６は、機体２を進行させながら、マルチフィルムＳを地面に連続的に踏みつけ、マルチフィルムＳに対し、該マルチフィルムＳを剥ぎ上げる方向の張力を連続的に作用させる。こうして、図５に示すように、畝Ｕに沿って機体２が走行し、該機体２の進行に伴って、畝表面に張られたマルチフィルムＳが連続的に剥ぎ取られ、畝間に放下されて行く。
【００３０】
以上のように構成された本発明のマルチフィルム剥ぎ取り機１によれば、剥ぎ上げ部５により、マルチフィルムＳを畝上方に剥ぎ上げるようになっているので、従来例のように横方向に剥ぐ場合と比べて剥ぎ上げ時の抵抗が少なく、マルチフィルムＳが破れにくい。このため、横方向に剥ぐ場合よりも、剥ぎ取り速度を向上させることができる。また、後輪６は、機体２の進行に伴って地面の上を転動し、剥ぎ上げられたマルチフィルムＳを地面に連続的に踏みつけ、マルチフィルムＳに対し、該マルチフィルムＳを剥ぎ上げる方向の張力を連続的に作用させることができる。このため、従来例とは異なり、走行スピードと剥ぎ取りスピードとが必然的に連動するようになっている。また、このように本発明のマルチフィルム剥ぎ取り機１は簡単な構成であるため、低コストに実現することができる。
【００３１】
また、マルチフィルムＳを畝Ｕに踏み付ける車輪として、機体２を走行可能に支持する後輪６を利用しており、つまり、機体２を走行させる機構が、マルチフィルムＳを剥がすための機構の一部としても作用するようになっているので、構造を簡単化でき、コストを低減することができる。
【００３２】
また、剥ぎ上げ部５は、左右へ延びる軸を中心に回転自在に支持されたローラ２６を有し、該ローラ２６の上側にマルチフィルムＳを掛けて後輪６へ送るように構成されており、このように簡単な構成で実現されているので、低コストに実現することができる。
【００３３】
また、剥ぎ上げ部５及び後輪６の略前方へマルチフィルムＳを案内するガイド部材２７，３１を備えているので、マルチフィルムＳを剥ぎ上げ部５及び後輪６により確実に処理することができる。
【００３４】
また、後輪６には、その周面の両側縁部から反回転方向側の周面略中央に向いて斜めに延びる凸条３０が形成されているので、凸条３０によりマルチフィルムＳを後輪６の周面の幅方向略中央に寄せることができる。このため、後輪６でマルチフィルムＳを確実に踏みつけるようにすることができる。
【００３５】
また、剥ぎ上げ部５の前方に、マルチフィルムＳに付着した夾雑物を解すための前処理部４を備えているので、マルチフィルムＳに付着した前記夾雑物を予め解すことにより、マルチフィルムＳを畝Ｕからスムーズに剥がすことができる。
【００３６】
なお、本発明は前記実施形態に限定されるものではなく、例えば以下のように、発明の趣旨から逸脱しない範囲で適宜変更して具体化することもできる。
（１）前輪３を２つにしたり、後輪３を１つ又は３つ以上にしたりすること。
（２）後輪６を駆動せず、人力で機体２を進行させるように構成すること。この場合でも、機体２の進行に伴って後輪６が転動し、上記実施形態と同様にマルチフィルムＳの剥ぎ取りが可能である。
（３）駆動部７の原動機として、電動モータを採用すること。
（４）マルチフィルムＳを裏返しにする機構を設けること。
【００３７】
【発明の効果】
以上詳述したように、本発明に係るマルチフィルム剥ぎ取り機によれば、簡単な構成でマルチフィルムを効率よく剥がすことができるという優れた効果を奏する。
【図面の簡単な説明】
【図１】本発明を具体化した一実施形態に係るマルチフィルム剥ぎ取り機の側面図である。
【図２】同マルチフィルム剥ぎ取り機の平面図である。
【図３】同マルチフィルム剥ぎ取り機の正面図である。
【図４】同マルチフィルム剥ぎ取り機の斜視図である。
【図５】同マルチフィルム剥ぎ取り機の動作を示す図であり、（ａ）は平面図、（ｂ）は（ａ）のｂ−ｂ線断面図である。
【図６】従来のマルチフィルム剥ぎ取り機の動作を示す平面図である。
【符号の説明】
１    マルチフィルム剥ぎ取り機
２    機体
３    前輪
４    前処理部
５    剥ぎ上げ部
６    後輪
７    駆動部
２６    ローラ
２６ａ  軸
２７    第一ガイド部材
３０    凸条
３１    第二ガイド部材
Ｓ    マルチフィルム
Ｕ    畝
【図１】
2005046012.tif 000003
【図２】
2005046012.tif 000004
【図３】
2005046012.tif 000005
【図４】
2005046012.tif 000006
【図５】
2005046012.tif 000007
【図６】
2005046012.tif 000008